(57)【要約】  本開示は、ＲＡＣＨリソース選択、設定方法、ユーザ装置及びネットワーク側装置を提供する。ユーザ装置に適用されるＲＡＣＨリソース選択方法は、ランダムアクセスプロセスがトリガされた後、取得したＲＡＣＨリソース設定情報に基づいて、プリアンブルのみ又はプリアンブル及びデータを送信するためのＰＲＡＣＨ送信単位を選択することを含む。【選択図】図５
2021521738.tif 000002
【特許請求の範囲】
【請求項１】
ユーザ装置に適用されるＲＡＣＨリソース選択方法であって、
ランダムアクセスプロセスがトリガされた後、取得したＲＡＣＨリソース設定情報に基づいて、プリアンブルのみ又はプリアンブル及びデータを送信するための物理ランダムアクセスチャネルＰＲＡＣＨ送信単位を選択することを含む、ＲＡＣＨリソース選択方法。
【請求項２】
ネットワーク側装置から送信されたＲＡＣＨリソース設定情報を受信することをさらに含む、請求項１に記載のＲＡＣＨリソース選択方法。
【請求項３】
前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む、請求項１に記載のＲＡＣＨリソース選択方法。
【請求項４】
前記時間窓の窓長情報は、前記ＲＡＣＨリソース設定情報内に含まれているか、又は、前記ＲＡＣＨリソース設定情報に含まれる窓長情報とＲＡＣＨパラメータとの対応関係から得られるか、又は、予め約束されたものであり、
前記Ｎの値は、前記ＲＡＣＨリソース設定情報内に含まれているか、又は、前記ＲＡＣＨリソース設定情報に含まれるＮの値とＲＡＣＨパラメータとの対応関係から得られるか、又は、予め約束されたものである、請求項３に記載のＲＡＣＨリソース選択方法。
【請求項５】
前記ＲＡＣＨパラメータは、
ＲＡＣＨを開始するサービス優先度、
接続確立の再構成をトリガする理由、
ＰＲＡＣＨ周期、及び
ＲＯと同期信号ブロックＳＳＢとの関連度、のうちの少なくとも１つを含む、請求項４に記載のＲＡＣＨリソース選択方法。
【請求項６】
前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む、請求項３に記載のＲＡＣＨリソース選択方法。
【請求項７】
ＰＲＡＣＨ送信単位を選択することは、具体的には、
約束した確率に従って前記時間窓内でＰＲＡＣＨ送信単位を選択すること、
約束した確率に従って前記Ｎ個のＰＲＡＣＨ送信単位からＰＲＡＣＨ送信単位を選択すること、のうちの少なくとも１つを含む、請求項３に記載のＲＡＣＨリソース選択方法。
【請求項８】
前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項１〜７のいずれか１項に記載のＲＡＣＨリソース選択方法。
【請求項９】
前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項３〜７のいずれか１項に記載のＲＡＣＨリソース選択方法。
【請求項１０】
ネットワーク側装置に適用されるＲＡＣＨリソース設定方法であって、
ユーザ装置がランダムアクセスプロセスをトリガした後にプリアンブルのみ又はプリアンブル及びデータを送信するための物理ランダムアクセスチャネルＰＲＡＣＨ送信単位を選択するためのＲＡＣＨリソース設定情報を、前記ユーザ装置に送信することを含む、ＲＡＣＨリソース設定方法。
【請求項１１】
前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む、請求項１０に記載のＲＡＣＨリソース設定方法。
【請求項１２】
前記時間窓の窓長情報は、前記ＲＡＣＨリソース設定情報内に含まれているか、又は、前記ＲＡＣＨリソース設定情報に含まれる窓長情報とＲＡＣＨパラメータとの対応関係から得られるか、又は、予め約束されたものであり、
前記Ｎの値は、前記ＲＡＣＨリソース設定情報内に含まれているか、又は、前記ＲＡＣＨリソース設定情報に含まれるＮの値とＲＡＣＨパラメータとの対応関係から得られるか、又は、予め約束されたものである、請求項１１に記載のＲＡＣＨリソース設定方法。
【請求項１３】
前記ＲＡＣＨパラメータは、
ＲＡＣＨを開始するサービス優先度、
接続確立の再構成をトリガする理由、
ＰＲＡＣＨ周期、及び
ＲＯと同期信号ブロックＳＳＢとの関連度、のうちの少なくとも１つを含む、請求項１２に記載のＲＡＣＨリソース設定方法。
【請求項１４】
前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む、請求項１１に記載のＲＡＣＨリソース設定方法。
【請求項１５】
前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項１０〜１４のいずれか１項に記載のＲＡＣＨリソース設定方法。
【請求項１６】
前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項１１〜１４のいずれか１項に記載のＲＡＣＨリソース設定方法。
【請求項１７】
ランダムアクセスプロセスがトリガされた後、取得したＲＡＣＨリソース設定情報に基づいて、プリアンブルのみ又はプリアンブル及びデータを送信するための物理ランダムアクセスチャネルＰＲＡＣＨ送信単位を選択するための処理モジュールを含む、ユーザ装置。
【請求項１８】
ネットワーク側装置から送信されたＲＡＣＨリソース設定情報を受信するための受信モジュールをさらに含む、請求項１７に記載のユーザ装置。
【請求項１９】
前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む、請求項１７に記載のユーザ装置。
【請求項２０】
前記時間窓の窓長情報は、前記ＲＡＣＨリソース設定情報内に含まれているか、又は、前記ＲＡＣＨリソース設定情報に含まれる窓長情報とＲＡＣＨパラメータとの対応関係から得られるか、又は、予め約束されたものであり、
前記Ｎの値は、前記ＲＡＣＨリソース設定情報内に含まれているか、又は、前記ＲＡＣＨリソース設定情報に含まれるＮの値とＲＡＣＨパラメータとの対応関係から得られるか、又は、予め約束されたものである、請求項１９に記載のユーザ装置。
【請求項２１】
前記ＲＡＣＨパラメータは、
ＲＡＣＨを開始するサービス優先度、
接続確立の再構成をトリガする理由、
ＰＲＡＣＨ周期、及び
ＲＯと同期信号ブロックＳＳＢとの関連度、のうちの少なくとも１つを含む、請求項２０に記載のユーザ装置。
【請求項２２】
前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む、請求項１９に記載のユーザ装置。
【請求項２３】
前記処理モジュールは、具体的には、
約束した確率に従って前記時間窓内でＰＲＡＣＨ送信単位を選択すること、
約束した確率に従って前記Ｎ個のＰＲＡＣＨ送信単位からＰＲＡＣＨ送信単位を選択すること、のうちの少なくとも１つを実行する、請求項１９に記載のユーザ装置。
【請求項２４】
前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項１７〜２３のいずれか１項に記載のユーザ装置。
【請求項２５】
前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項１９〜２３のいずれか１項に記載のユーザ装置。
【請求項２６】
ユーザ装置がランダムアクセスプロセスをトリガした後にプリアンブル又はプリアンブル及びデータを送信するための物理ランダムアクセスチャネルＰＲＡＣＨ送信単位を選択するためのＲＡＣＨリソース設定情報を、前記ユーザ装置に送信するための送信モジュールを含む、ネットワーク側装置。
【請求項２７】
前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む、請求項２６に記載のネットワーク側装置。
【請求項２８】
前記時間窓の窓長情報は、前記ＲＡＣＨリソース設定情報内に含まれているか、又は、前記ＲＡＣＨリソース設定情報に含まれる窓長情報とＲＡＣＨパラメータとの対応関係から得られるか、又は、予め約束されたものであり、
前記Ｎの値は、前記ＲＡＣＨリソース設定情報内に含まれているか、又は、前記ＲＡＣＨリソース設定情報に含まれるＮの値とＲＡＣＨパラメータとの対応関係から得られるか、又は、予め約束されたものである、請求項２７に記載のネットワーク側装置。
【請求項２９】
前記ＲＡＣＨパラメータは、
ＲＡＣＨを開始するサービス優先度、
接続確立の再構成をトリガする理由、
ＰＲＡＣＨ周期、及び
ＲＯと同期信号ブロックＳＳＢとの関連度、のうちの少なくとも１つを含む、請求項２８に記載のネットワーク側装置。
【請求項３０】
前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む、請求項２７に記載のネットワーク側装置。
【請求項３１】
前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項２６〜３０のいずれか１項に記載のネットワーク側装置。
【請求項３２】
前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項２７〜３０のいずれか１項に記載のネットワーク側装置。
【請求項３３】
メモリと、プロセッサと、前記メモリに記憶され前記プロセッサ上で実行でき、前記プロセッサにより実行されると、請求項１〜９のいずれか１項に記載のＲＡＣＨリソース選択方法のステップを実現するコンピュータプログラムと、を含むユーザ装置。
【請求項３４】
メモリと、プロセッサと、前記メモリに記憶され前記プロセッサ上で実行でき、前記プロセッサにより実行されると、請求項１０〜１６のいずれか１項に記載のＲＡＣＨリソース設定方法のステップを実現するコンピュータプログラムと、を含むユーザ装置。
【請求項３５】
プロセッサにより実行されると、請求項１〜９のいずれか１項に記載のＲＡＣＨリソース選択方法のステップ又は請求項１０〜１６のいずれか１項に記載のＲＡＣＨリソース設定方法のステップを実現するコンピュータプログラムが記憶されているコンピュータ読み取り可能な記憶媒体。
【発明の詳細な説明】
【技術分野】
【０００１】
（関連出願の相互参照)
本願は、２０１８年５月１０日に提出された中国特許出願第２０１８１０４４５２２６．０号の優先権を主張するものであり、その全ての内容は参照により本願に組み込まれるものとする。
本開示は、通信の技術分野に関し、特にＲＡＣＨリソース選択、設定方法、ユーザ装置及びネットワーク側装置に関する。
【背景技術】
【０００２】
関連技術におけるロングタームエヴォリューション（Ｌｏｎｇ  Ｔｅｒｍ  Ｅｖｏｌｕｔｉｏｎ、ＬＴＥ）及び新たな無線（Ｎｅｗ  Ｒａｄｉｏ、ＮＲ）通信システムではいずれもランダムアクセスプロセスをサポートすることにより様々な目的を実現する必要がある。ランダムアクセスチャネル（Ｒａｎｄｏｍ  Ａｃｃｅｓｓ  Ｃｈａｎｎｅｌ、ＲＡＣＨ）のプロセスは、競合ランダムアクセスプロセスと非競合ランダムアクセスプロセスに分けられる。競合ランダムアクセスプロセス及び非競合ランダムアクセスプロセスはいずれもユーザ装置（Ｕｓｅｒ  Ｅｑｕｉｐｍｅｎｔ、ＵＥ）によりネットワーク側装置にプリアンブル（ｐｒｅａｍｂｌｅ）を送信する必要がある。
【０００３】
ＮＲにおいて、ネットワーク側装置は、１つの時間インスタンス（ｔｉｍｅ  ｉｎｓｔａｎｃｅ）（すなわち、１つの物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）リソースを伝送するために必要な持続時間、ここで、ＰＲＡＣＨを伝送するための時間領域位置をも指す）上に、物理ランダムアクセスチャネル伝送機会（ＰＲＡＣＨ  ｔｒａｎｓｍｉｓｓｉｏｎ  ｏｃｃａｓｉｏｎ）とも呼ばれてＲＯと略称される、周波数分割多重化（Ｆｒｅｑｕｅｎｃｙ−ｄｉｖｉｓｉｏｎ  ｍｕｌｔｉｐｌｅｘｉｎｇ、ＦＤＭ）を実行する物理ランダムアクセスチャネル機会（ＰＲＡＣＨ  ｏｃｃａｓｉｏｎ）が複数存在するように設定されてもよい。１つの時間インスタンスにおいてＦＤＭを実行できるＲＯの数は、｛１、２、４、８｝であり得る。
【０００４】
関連技術におけるＮＲのＰＲＡＣＨリソース周期は、１０ｍｓ、２０ｍｓ、４０ｍｓ、８０ｍｓ、１６０ｍｓであることが可能であり、関連技術におけるユーザ装置がランダムアクセスプロセスをトリガした後に適切なＲＡＣＨリソースを選択することは、直近のＲＡＣＨリソースを選択することであるが、ＰＲＡＣＨリソースは、周期に関わらず、ＲＡＣＨリソースの時間領域長さがいずれも１０ｍｓであるため、ＲＡＣＨ負荷不均衡という問題がある。
【発明の概要】
【発明が解決しようとする課題】
【０００５】
本開示が解決しようとする技術的課題は、ＲＡＣＨ負荷不均衡という問題を解決するために、ＲＡＣＨリソース選択、設定方法、ユーザ装置及びネットワーク側装置を提供することである。
【課題を解決するための手段】
【０００６】
第１の態様では、本開示の実施例に係る、ユーザ装置に適用されるＲＡＣＨリソース選択方法は、
ランダムアクセスプロセスがトリガされた後、取得したＲＡＣＨリソース設定情報に基づいて、プリアンブル又はプリアンブル及びデータを送信するための物理ランダムアクセスチャネルＰＲＡＣＨ送信単位を選択することを含む。
【０００７】
第２の態様では、本開示の実施例に係る、ネットワーク側装置に適用されるＲＡＣＨリソース設定方法は、
ユーザ装置がランダムアクセスプロセスをトリガした後にプリアンブルのみ又はプリアンブル及びデータを送信するための物理ランダムアクセスチャネルＰＲＡＣＨ送信単位を選択するためのＲＡＣＨリソース設定情報を、前記ユーザ装置に送信することを含む。
【０００８】
第３の態様では、本開示の実施例に係るユーザ装置は、
ランダムアクセスプロセスがトリガされた後、取得したＲＡＣＨリソース設定情報に基づいて、プリアンブルのみ又はプリアンブル及びデータを送信するための物理ランダムアクセスチャネルＰＲＡＣＨ送信単位を選択するための処理モジュールを含む。
【０００９】
第４の態様では、本開示の実施例に係るネットワーク側装置は、
ユーザ装置がランダムアクセスプロセスをトリガした後にプリアンブルのみ又はプリアンブル及びデータを送信するための物理ランダムアクセスチャネルＰＲＡＣＨ送信単位を選択するためのチャネルＲＡＣＨリソース設定情報を、前記ユーザ装置に送信するための送信モジュールを含む。
【００１０】
第５の態様では、本開示の実施例に係るユーザ装置は、メモリと、プロセッサと、メモリに記憶されプロセッサ上で実行でき、プロセッサにより実行されると、上述したようなＲＡＣＨリソース選択方法のステップを実現するコンピュータプログラムと、を含む。
【００１１】
第６の態様では、本開示の実施例に係るネットワーク側装置は、メモリと、プロセッサと、メモリに記憶されプロセッサ上で実行でき、プロセッサにより実行されると、上述したようなＲＡＣＨリソース設定方法のステップを実現するコンピュータプログラムと、を含む。
【００１２】
第７の態様では、本開示の実施例に係るコンピュータ読み取り可能な記憶媒体は、プロセッサにより実行されると、上述したようなＲＡＣＨリソース選択方法のステップ又は上述したようなＲＡＣＨリソース設定方法のステップを実現するコンピュータプログラムが記憶されている。
【発明の効果】
【００１３】
本開示の実施例は、以下の有益な効果を有する。
【００１４】
上記解決手段では、ユーザ装置は、ランダムアクセスプロセスをトリガした後、必ずしも直近のＲＡＣＨリソースを選択してプリアンブルのみ又はプリアンブル及びデータを送信することでなく、取得したＲＡＣＨリソース設定情報に基づいて、プリアンブルのみ又はプリアンブル及びデータを送信するためのＰＲＡＣＨ送信単位を選択し、ＲＡＣＨリソース設定情報の設定によりＲＡＣＨ負荷不均衡という問題を回避することができる。
【図面の簡単な説明】
【００１５】
本開示の実施例の技術的解決手段をより明確に説明するために、以下、本開示の実施例の説明に必要な図面を簡単に説明し、明らかに、以下に説明される図面は、本開示の幾つかの実施例に過ぎず、当業者であれば、創造的な労力をすることなく、これらの図面に基づいて他の図面を取得することができる。
【００１６】
【図１】ＲＯとＳＳＢとの関連する概略図である。
【図２】ＰＲＡＣＨ設定周期においてＳＳＢ−ＲＯマッピングを二回繰り返す概略図である。
【図３】ＲＡＣＨ負荷が不均衡である概略図である。
【図４】ＲＡＣＨ負荷が不均衡である概略図である。
【図５】本開示の実施例に係るＲＡＣＨリソース選択方法の概略図である。
【図６】本開示の実施例に係るＲＡＣＨリソース設定方法の概略図である。
【図７】本開示の実施例に係るＲＡＣＨトリガ時刻とＰＲＡＣＨ送信セットとの対応関係の概略図である。
【図８】本発明の実施例に係るユーザ装置の構造概略図である。
【図９】本開示の実施例に係るネットワーク側装置の構造概略図である。
【図１０】本開示の実施例に係るネットワーク側装置の構成の概略図である。
【図１１】本開示の実施例に係るユーザ装置の構成の概略図である。
【発明を実施するための形態】
【００１７】
以下、図面を参照しながら本開示の例示的な実施例をより詳細に説明する。図面に本開示の例示的な実施例が示されるが、本開示は様々な形態で実現することができ、ここに記載した実施例によって限定されないと理解すべきである。逆に、これらの実施例を提供するのは、本開示をより徹底的に理解させ、本開示の範囲を完全に当業者に伝えるようにするためである。
【００１８】
本願の明細書及び特許請求の範囲における用語「第１」、「第２」等は、類似した対象を区別するためのものであり、必ずしも特定の順序又は優先順位を説明するためのものではない。ここで説明した本願の実施例が、例えばここでの図示説明又は説明以外の順序でも実施できるように、このように使用されたデータは、適宜入れ替えてもよいと理解すべきである。また、用語「含む」、「備える」及びそれらのいかなる変形は、非排他的な包含をカバーすることを意図し、例えば、一連のステップ又はユニットを含む過程、方法、システム、製品又は設備は、明確に挙げたステップ又はユニットに限定されず、明確に挙げていないか又はこれらの過程、方法、システム、製品又は設備に固有の他のステップ又はユニットを含んでもよい。
【００１９】
関連技術におけるＬＥＴ及びＮＲ通信システムではいずれもランダムアクセスプロセスをサポートすることにより様々な目的を実現する必要がある。以下のような状況が発生した場合には、ランダムアクセスプロセスをトリガする。
【００２０】
１、初期の無線リソース制御（Ｒａｄｉｏ  Ｒｅｓｏｕｒｃｅ  Ｃｏｎｔｒｏｌ、ＲＲＣ）アイドル状態（ｉｄｌｅ）ユーザ装置がネットワークに接続されることをサポートする。
２、ＲＲＣを再構成する。
３、切り替えが発生する。
４、下りデータが到達するが、上り同期外れが発生する。
５、上りデータが到達するが、下り同期外れが発生する。
６、ユーザ装置が非アクティブ（ｉｎａｃｔｉｖｅ）状態からアクティブ（ａｃｔｉｖｅ）状態に遷移する。
７、セカンダリセル（Ｓｃｅｌｌ）の上り同期取得をサポートする。
【００２１】
ユーザ装置がランダムアクセスプロセスをトリガしてもよく、ネットワーク側装置がランダムアクセスプロセスをトリガしてもよい。
【００２２】
ＲＡＣＨプロセスは、競合ランダムアクセスプロセスと非競合ランダムアクセスプロセスに分けられる。競合ランダムアクセスプロセス及び非競合ランダムアクセスプロセスは、いずれもユーザ装置によりネットワーク側装置にプリアンブルのみ又はプリアンブル及びデータを送信する必要がある。
【００２３】
ＮＲにおいて、ネットワーク側装置は、１つの時間インスタンスにＦＤＭを実行するＲＯが複数存在するように設定されてもよい。１つの時間インスタンスにＦＤＭを実行できるＲＯの数は、｛１、２、４、８｝であり得る。
【００２４】
ランダムアクセスプリアンブルは、パラメータＰＲＡＣＨ設定インデックス（Ｃｏｎｆｉｇｕｒａｔｉｏｎ  Ｉｎｄｅｘ）で設定された時間領域リソースのみで伝送できるとともに、パラメータｐｒａｃｈ−ＦＤＭで設定された周波数領域リソースのみで伝送でき、ＰＲＡＣＨ周波数領域リソースｎＲＡ∈｛０，１，．．．，Ｍ−１｝であり、Ｍは上位レイヤパラメータｐｒａｃｈ−ＦＤＭと等しい。ＰＲＡＣＨ周波数領域リソースｎＲＡは、初期アクセス時には、初期アクティブ化上り帯域幅部分（ｉｎｉｔｉａｌ  ａｃｔｉｖｅ  ｕｐｌｉｎｋ  ｂａｎｄｗｉｄｔｈ  ｐａｒｔ）内の周波数の最も低いＲＯリソースから昇順で付番し、そうでなければ、ＰＲＡＣＨ周波数領域リソースｎＲＡは、アクティブ化上り帯域幅部分（ａｃｔｉｖｅ  ｕｐｌｉｎｋ  ｂａｎｄｗｉｄｔｈ  ｐａｒｔ）内の周波数の最も低いＲＯリソースから昇順で付番する。
【００２５】
ＰＲＡＣＨリソースに関連するパラメータ（例えば、ＰＲＡＣＨ  Ｃｏｎｆｉｇｕｒａｔｉｏｎ  Ｉｎｄｅｘ、ｐｒａｃｈ−ＦＤＭなど）により、ユーザ装置は、ＰＲＡＣＨ設定周期内のＲＯのリソースサイズ、ＲＯの時間領域位置、ＲＯの周波数領域位置、ＲＯの数などを含む１つのＰＲＡＣＨ設定周期（Ｃｏｎｆｉｇｕｒａｔｉｏｎ  Ｐｅｒｉｏｄ）内のＲＯリソースパターンを決定することができる。ＰＲＡＣＨ設定周期は、｛１０、２０、４０、８０、１６０｝ｍｓであってもよく、各ＰＲＡＣＨ設定周期内で、ＲＯのリソースパターンは同じである。
【００２６】
ＮＲにおいて、ＲＯと実際に送信されるＳＳＢ（ＳＳ／ＰＢＣＨ  ｂｌｏｃｋ、同期信号／物理ブロードキャストチャネルブロックであり、ＳＳ  ｂｌｏｃｋ、同期信号ブロックと略称される）との間には関連関係がある。１つのＲＯに複数のＳＳＢが関連付けられる可能性があり、１つのＲＯに関連するＳＳＢの数は、｛１／８、１／４、１／２、１、２、４、８、１６｝であってもよい。非競合ランダムアクセスプロセスにおいて、ＲＯとチャネル状態情報参照信号（ＣＳＩ  ｒｅｆｅｒｅｎｃｅ  ｓｉｇｎａｌｓ、ＣＳＩ−ＲＳ）にも関連関係がある可能性がある。
【００２７】
一具体例では、図１に示すように、１つのＲＯが１／８  ＳＳＢに関連し、１つの時間インスタンスに４つのＲＯがＦＤＭを実行し、合計３つのＳＳＢがあり、番号が１−３であると仮定する。
【００２８】
１つのＰＲＡＣＨ設定周期内において設定されるＲＯ総数が、ＳＳＢ−ＲＯマッピングを二回完了するために必要なＲＯ数以上である場合には、これらのＲＯ上でＳＳＢ−ＲＯのマッピングを繰り返すことができる。１つのＲＯが１／８  ＳＳＢに関連し、合計３つのＳＳＢがあり、番号がＳＳＢ  １−３であると仮定すれば、１回のＳＳＢ−ＲＯマッピングを完了することに８＊３＝２４個のＲＯが必要であり、１つのＰＲＡＣＨ設定周期内に１２個の時間インスタンスがあり、１つの時間インスタンスに４個のＲＯがＦＤＭを実行するとすれば、１つのＰＲＡＣＨ設定周期内に合計１２＊４＝４８個のＲＯがある。したがって、図２に示すように、該設定周期にＳＳＢ−ＲＯマッピングを２回繰り返すことができる。
【００２９】
１つのＰＲＡＣＨ設定周期内に７２個のＲＯがあれば、該設定周期にＳＳＢ−ＲＯマッピングを３回繰り返すことができる。より多くのＲＯがあれば、より多くＳＳＢ−ＲＯマッピングを繰り返すことができる。便宜上、１回のＳＳＢ−ＲＯマッピングを完了するために必要なＲＯセットを、関連グループ又は関連セット（ａｓｓｏｃｉａｔｉｏｎ  ｓｅｔ）と呼ぶ。
【００３０】
ＣＳＩ−ＲＳ−ＲＯマッピングも同様である。より多くのＲＯがあれば、より多くのＣＳＩ−ＲＳ−ＲＯマッピングを繰り返すことができる。便宜上、１回のＣＳＩ−ＲＯマッピングを完了するために必要なＲＯセットを、関連組又は関連セット（ａｓｓｏｃｉａｔｉｏｎ  ｓｅｔ）と呼ぶ。
【００３１】
ＲＯ組み合わせセットは、一組のＲＯのセットであってもよく、このセットは、同一時間領域で異なる周波数領域上のＲＯセットであってもよく、同一周波数領域で異なる時間領域上のＲＯセットであってもよく、異なる時間領域かつ異なる周波数領域上のＲＯセットであってもよい。
【００３２】
ＲＯ組み合わせセットは、予め約束されてもよく、ネットワーク側装置によって設定されてもよい。予め約束は、ネットワーク側装置とユーザ装置とにより予め約束されてもよく、通信プロトコルに記載して通信プロトコルによって規定されてもよい。
【００３３】
関連技術におけるＮＲのＰＲＡＣＨリソース周期は、１０ｍｓ、２０ｍｓ、４０ｍｓ、８０ｍｓ、１６０ｍｓであってもよく、関連技術におけるユーザ装置がランダムアクセスプロセスをトリガした後に適切なＲＡＣＨリソースを選択することは、直近のＲＡＣＨリソースを選択することであるが、ＰＲＡＣＨリソースは、周期に関わらず、ＲＡＣＨリソースの時間領域長さがいずれも１０ｍｓであるため、ＲＡＣＨ負荷不均衡という問題がある。
【００３４】
図３に示すように、第１の部分ＰＲＡＣＨサブフレームと第２の部分ＰＲＡＣＨサブフレームという２つのＰＲＡＣＨリソースが存在し、ユーザ装置がランダムアクセスプロセスをトリガした後に適切なＲＡＣＨリソースを選択することは、直近のＲＡＣＨリソースを選択することであるため、Ｔ１時間帯でＰＲＡＣＨリソースなしでトリガした全てのランダムアクセスプロセスは、１番目のＰＲＡＣＨリソースを選択し、Ｔ２時間帯でのランダムアクセスプロセスをトリガした場合のみ、２番目のＰＲＡＣＨリソースを選択することになる。これにより、第１の部分ＰＲＡＣＨサブフレームに第２の部分ＰＲＡＣＨサブフレームよりも多くのＲＡＣＨ負荷（プリアンブル送信）が負担されるため、ＲＡＣＨ負荷が不均衡になる。図４に示すように、複数のＳＳＢとＲＯとが関連する場合にも同様の問題がある。
【００３５】
本開示の実施例は、上記問題に対して、ＲＡＣＨリソース選択、設定方法、ユーザ装置及びネットワーク側装置を提供してＲＡＣＨ負荷不均衡という問題を解決することができる。
【００３６】
本開示の実施例は、図５に示すように、ユーザ装置に適用されるＲＡＣＨリソース選択方法であって、
ランダムアクセスプロセスがトリガされた後、取得したＲＡＣＨリソース設定情報に基づいて、プリアンブルのみ又はプリアンブル及びデータを送信するための物理ランダムアクセスチャネルＰＲＡＣＨ送信単位を選択するステップ１０１を含む、ＲＡＣＨリソース選択方法を提供する。
【００３７】
本実施例では、ユーザ装置は、ランダムアクセスプロセスをトリガした後、必ずしも直近のＲＡＣＨリソースを選択してプリアンブルのみ又はプリアンブル及びデータを送信することでなく、取得したＲＡＣＨリソース設定情報に基づいて、プリアンブルのみ又はプリアンブル及びデータを送信するためのＰＲＡＣＨ送信単位を選択し、ＲＡＣＨリソース設定情報の設定によりＲＡＣＨ負荷不均衡という問題を回避することができる。
【００３８】
ＰＲＡＣＨ送信単位は、プリアンブルのみ又はプリアンブル及びデータを送信するために占有されるＲＡＣＨリソースであり、前記ＰＲＡＣＨ送信単位は、ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【００３９】
ＲＡＣＨリソース設定情報は、予め約束されたものであってもよく、ネットワーク側装置からユーザ装置に送信されて、ユーザ装置によって事前に受信されて記憶されたものであってもよい。ＲＡＣＨリソース設定情報がネットワーク側装置からユーザ装置に送信されたものである場合、前記方法は、
ネットワーク側装置から送信されたＲＡＣＨリソース設定情報を受信することをさらに含む。
【００４０】
さらに、前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（Ｎが正の整数である）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む。
【００４１】
Ｎ個のＰＲＡＣＨ送信単位は、Ｎ個の連続するＰＲＡＣＨ送信単位であってもよい。
【００４２】
さらに、前記時間窓の窓長情報は、前記ＲＡＣＨリソース設定情報内に含まれているか、又は、前記ＲＡＣＨリソース設定情報に含まれる窓長情報とＲＡＣＨパラメータとの対応関係から得られるか、又は、予め約束されたものであり、
前記Ｎの値は、前記ＲＡＣＨリソース設定情報内に含まれているか、又は、前記ＲＡＣＨリソース設定情報に含まれるＮの値とＲＡＣＨパラメータとの対応関係から得られるか、又は、予め約束されたものである。
【００４３】
予め約束は、ネットワーク側装置とユーザ装置とにより予め約束されてもよく、通信プロトコルに記載されて、通信プロトコルによって規定されてもよい。
【００４４】
さらに、前記ＲＡＣＨパラメータは、
ＲＡＣＨを開始するサービス優先度、
接続確立の再構成をトリガする理由、
ＰＲＡＣＨ周期、及び
ＲＯと同期信号ブロックＳＳＢとの関連度、のうちの少なくとも１つを含む。
【００４５】
さらに、前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む。
【００４６】
さらに、ＰＲＡＣＨ送信単位を選択することは、具体的には、
約束した確率に従って前記時間窓内でＰＲＡＣＨ送信単位を選択すること、
約束した確率に従って前記Ｎ個のＰＲＡＣＨ送信単位からＰＲＡＣＨ送信単位を選択すること、のうちの少なくとも１つを含む。
【００４７】
さらに、前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【００４８】
本開示の実施例は、図６に示すように、ネットワーク側装置に適用されるＲＡＣＨリソース設定方法であって、
ユーザ装置がランダムアクセスプロセスをトリガした後にプリアンブルのみ又はプリアンブル及びデータを送信するための物理ランダムアクセスチャネルＰＲＡＣＨ送信単位を選択するためのＲＡＣＨリソース設定情報を、前記ユーザ装置に送信するステップ２０１を含む、ＲＡＣＨリソース設定方法をさらに提供する。
【００４９】
本実施例では、ネットワーク側装置は、ユーザ装置にＲＡＣＨリソース設定情報を送信し、ユーザ装置は、ランダムアクセスプロセスをトリガした後、必ずしも直近のＲＡＣＨリソースを選択してプリアンブルのみ又はプリアンブル及びデータを送信することでなく、取得したＲＡＣＨリソース設定情報に基づいて、プリアンブルのみ又はプリアンブル及びデータを送信するためのＰＲＡＣＨ送信単位を選択し、ＲＡＣＨリソース設定情報の設定によりＲＡＣＨ負荷不均衡という問題を回避することができる。
【００５０】
さらに、前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（Ｎが正の整数である）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む。
【００５１】
さらに、前記時間窓の窓長情報は、前記ＲＡＣＨリソース設定情報内に含まれているか、又は、前記ＲＡＣＨリソース設定情報に含まれる窓長情報とＲＡＣＨパラメータとの対応関係から得られるか、又は、予め約束されたものであり、
前記Ｎの値は、前記ＲＡＣＨリソース設定情報内に含まれているか、又は、前記ＲＡＣＨリソース設定情報に含まれるＮの値とＲＡＣＨパラメータとの対応関係から得られるか、又は、予め約束されたものである。
【００５２】
さらに、前記ＲＡＣＨパラメータは、
ＲＡＣＨを開始するサービス優先度、
接続確立の再構成をトリガする理由、
ＰＲＡＣＨ周期、及び
ＲＯと同期信号ブロックＳＳＢとの関連度、のうちの少なくとも１つを含む。
【００５３】
さらに、前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む。
【００５４】
さらに、前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【００５５】
さらに、前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【００５６】
以下、具体的な実施例を参照して本開示の技術的解決手段をさらに説明する。
実施例１
【００５７】
本実施例では、ユーザ装置がランダムアクセスプロセスをトリガした後、１番目の有効なＰＲＡＣＨ送信単位を探し出すとともに、この有効なＰＲＡＣＨ送信単位から連続する１つの時間窓内で、等確率又は一定の確率で該時間窓内のＰＲＡＣＨ送信単位を選択して、プリアンブルのみ又はプリアンブル及びデータを送信する。
【００５８】
時間窓の開始時間は、ランダムアクセスプロセスをトリガする時刻である。時間窓の窓長単位は、ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位（例えばｍｓ）のうちの少なくとも１つを含む。
【００５９】
等確率とは、該時間窓内の全てのＰＲＡＣＨ送信単位に対して設定される選択確率が同じであることを意味し、該時間窓内の異なるＰＲＡＣＨ送信単位に対して、異なる選択確率を設定してもよい。選択確率は、予め約束されてもよく、ネットワーク側装置によって設定されてもよい。例えば、時間窓内に２つのＰＲＡＣＨ送信単位が含まれ、１番目のＰＲＡＣＨ送信単位の選択確率が５０％であり、１番目のＰＲＡＣＨ送信単位が選択されなければ、２番目のＰＲＡＣＨ送信単位が選択される。
【００６０】
ＲＯ組み合わせセットは、時間領域又は周波数領域上の一組のＲＯセットとして定義されてもよく、ネットワーク側装置によって設定されてもよく、予め約束されてもよい。
実施例２
【００６１】
本実施例では、ユーザ装置がランダムアクセスプロセスをトリガした後、１番目の有効なＰＲＡＣＨ送信単位を探し出すとともに、この有効なＰＲＡＣＨ送信単位から次のＮ個のＰＲＡＣＨ送信単位から、等確率又は一定の確率でＰＲＡＣＨ送信単位を選択して、プリアンブルのみ又はプリアンブル及びデータを送信する。
【００６２】
ＰＲＡＣＨ送信単位は、ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位（例えばｍｓ）のうちの少なくとも１つを含む。
【００６３】
等確率とは、Ｎ個のＰＲＡＣＨ送信単位に対して設定される選択確率が同じであることを意味し、異なるＰＲＡＣＨ送信単位に対して、異なる選択確率を設定してもよい。選択確率は、予め約束されてもよく、ネットワーク側装置によって設定されてもよい。例えば、Ｎ＝２であり、１番目のＰＲＡＣＨ送信単位の選択確率が５０％であり、１番目のＰＲＡＣＨ送信単位が選択されなければ、２番目のＰＲＡＣＨ送信単位が選択される。
【００６４】
ＲＯ組み合わせセットは、時間領域又は周波数領域上の一組のＲＯセットとして定義されてもよく、ネットワーク側装置によって設定されてもよく、予め約束されてもよい。
実施例３
【００６５】
本実施例では、実施例１及び実施例２を基に、ユーザ装置がＲＡＣＨを開始するサービス優先度又は接続確立の再構成をトリガする理由に基づいて時間窓の窓長情報又はＮの値を決定することができる。
【００６６】
例えば、サービスの優先度が高く、ＲＡＣＨレベルが高く、接続確立の再構成をトリガする理由がｅｍｅｒｇｅｎｃｙ  ｃａｌｌであると、ユーザ装置は、直近のＰＲＡＣＨ送信単位を選択でき、つまり、時間窓が１つのＰＲＡＣＨ送信単位を含むか、又はＮ値を１に設定し、これにより、ユーザ装置は、最も近い１番目のＰＲＡＣＨ送信単位でプリアンブルのみ又はプリアンブル及びデータを送信する。
【００６７】
サービスの優先度が低ければ、異なる窓長情報、又はＮの値を設定することができる。
実施例４
【００６８】
本実施例では、実施例１及び実施例２を基に、ＰＲＡＣＨ周期又はＲＯとＳＳＢの関連度に基づいて時間窓の窓長情報又はＮの値を決定することができる。
【００６９】
ＰＲＡＣＨ周期が長いほど、ＲＡＣＨの負荷の不均衡度が高くなる。したがって、異なるＰＲＡＣＨ周期に基づいて時間窓の窓長情報又はＮの値を決定することができる。例えば、ＰＲＡＣＨ周期が長いほど、窓長情報を長く、Ｎの値が大きくする。
【００７０】
同様に、さらにＲＯとＳＳＢの関連度に基づいて時間窓の窓長情報又はＮの値を決定することができる。例えば、ＲＯとＳＳＢの関連度が小さいほど、窓長情報を長くなり、Ｎの値を大きくする。
実施例５
【００７１】
本実施例では、ＲＡＣＨトリガ時刻と、少なくとも１つのＰＲＡＣＨ送信単位を含むＰＲＡＣＨ送信セットとの対応関係を設定する。
【００７２】
図７に示すように、Ｔ１時間帯は第１のＰＲＡＣＨ送信セットに対応し、Ｔ２時間帯は第２のＰＲＡＣＨ送信セットに対応し、Ｔ３時間帯は第３のＰＲＡＣＨ送信セットに対応する。
【００７３】
本開示の実施例は、図８に示すように、
ランダムアクセスプロセスがトリガされた後、取得したＲＡＣＨリソース設定情報に基づいて、プリアンブルのみ又はプリアンブル及びデータを送信するための物理ランダムアクセスチャネルＰＲＡＣＨ送信単位を選択するための処理モジュール３２を含む、ユーザ装置をさらに提供する。
【００７４】
本実施例では、ユーザ装置は、ランダムアクセスプロセスをトリガした後、必ずしも直近のＲＡＣＨリソースを選択してプリアンブルのみ又はプリアンブル及びデータを送信することでなく、取得したＲＡＣＨリソース設定情報に基づいて、プリアンブルのみ又はプリアンブル及びデータを送信するためのＰＲＡＣＨ送信単位を選択し、ＲＡＣＨリソース設定情報の設定によりＲＡＣＨ負荷不均衡という問題を回避することができる。
【００７５】
ＲＡＣＨリソース設定情報は、予め約束されたものであってもよく、ネットワーク側装置からユーザ装置に送信されたものであってもよく、ＲＡＣＨリソース設定情報がネットワーク側装置からユーザ装置に送信されたものである場合に、ユーザ装置は、
ネットワーク側装置から送信されたＲＡＣＨリソース設定情報を受信するための受信モジュール３１をさらに含む。
【００７６】
さらに、前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む。
【００７７】
さらに、前記時間窓の窓長情報は、前記ＲＡＣＨリソース設定情報内に含まれているか、又は、前記ＲＡＣＨリソース設定情報に含まれる窓長情報とＲＡＣＨパラメータとの対応関係から得られるか、又は、予め約束されたものであり、
前記Ｎの値は、前記ＲＡＣＨリソース設定情報内に含まれているか、又は、前記ＲＡＣＨリソース設定情報に含まれるＮの値とＲＡＣＨパラメータとの対応関係から得られるか、又は、予め約束されたものである。
【００７８】
さらに、前記ＲＡＣＨパラメータは、
ＲＡＣＨを開始するサービス優先度、
接続確立の再構成をトリガする理由、
ＰＲＡＣＨ周期、及び
ＲＯと同期信号ブロックＳＳＢとの関連度、のうちの少なくとも１つを含む。
【００７９】
さらに、前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む。
【００８０】
さらに、前記処理モジュール３２は、具体的には、
約束した確率に従って前記時間窓内でＰＲＡＣＨ送信単位を選択すること、
約束した確率に従って前記Ｎ個のＰＲＡＣＨ送信単位からＰＲＡＣＨ送信単位を選択すること、のうちの少なくとも１つを実行する。
【００８１】
さらに、前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【００８２】
さらに、前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【００８３】
本開示の実施例は、図９に示すように、
ユーザ装置がランダムアクセスプロセスをトリガした後にプリアンブルのみ又はプリアンブル及びデータを送信するための物理ランダムアクセスチャネルＰＲＡＣＨ送信単位を選択するためのＲＡＣＨリソース設定情報を、上記ユーザ装置に送信するための送信モジュール４１を含む、ネットワーク側装置をさらに提供する。
【００８４】
本実施例では、ネットワーク側装置は、ユーザ装置にＲＡＣＨリソース設定情報を送信し、ユーザ装置は、ランダムアクセスプロセスをトリガした後、必ずしも直近のＲＡＣＨリソースを選択してプリアンブルのみ又はプリアンブル及びデータを送信することでなく、取得したＲＡＣＨリソース設定情報に基づいて、プリアンブルのみ又はプリアンブル及びデータを送信するためのＰＲＡＣＨ送信単位を選択し、ＲＡＣＨリソース設定情報の設定によりＲＡＣＨ負荷不均衡という問題を回避することができる。
【００８５】
さらに、前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む。
【００８６】
さらに、前記時間窓の窓長情報は、前記ＲＡＣＨリソース設定情報内に含まれているか、又は、前記ＲＡＣＨリソース設定情報に含まれる窓長情報とＲＡＣＨパラメータとの対応関係から得られるか、又は、予め約束されたものであり、
前記Ｎの値は、前記ＲＡＣＨリソース設定情報内に含まれているか、又は、前記ＲＡＣＨリソース設定情報に含まれるＮの値とＲＡＣＨパラメータとの対応関係から得られるか、又は、予め約束されたものである。
【００８７】
さらに、前記ＲＡＣＨパラメータは、
ＲＡＣＨを開始するサービス優先度、
接続確立の再構成をトリガする理由、
ＰＲＡＣＨ周期、及び
ＲＯと同期信号ブロックＳＳＢとの関連度、のうちの少なくとも１つを含む。
【００８８】
さらに、前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む。
【００８９】
さらに、前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【００９０】
さらに、前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【００９１】
本開示の実施例は、メモリと、プロセッサと、メモリに記憶されプロセッサ上で実行でき、前記プロセッサにより実行されると、上述したようなＲＡＣＨリソース設定方法のステップを実現するコンピュータプログラムと、を含むネットワーク側装置をさらに提供する。
【００９２】
図１０に示すとおり、図１０は、本開示の実施例が適用するネットワーク側装置の構成図であり、上記実施例におけるＲＡＣＨリソース設定方法の詳細を実現し、かつ同様の効果を達成することができる。図１０に示すように、ネットワーク側装置５００は、プロセッサ５０１、トランシーバ５０２、メモリ５０３、ユーザインタフェース５０４及びバスインタフェースを含む。
本開示の実施例では、ネットワーク側装置５００は、メモリ５０３に記憶されプロセッサ５０１上で実行でき、プロセッサ５０１により実行されると、ユーザ装置がランダムアクセスプロセスをトリガした後にプリアンブルのみ又はプリアンブル及びデータを送信するための物理ランダムアクセスチャネルＰＲＡＣＨ送信単位を選択するためのＲＡＣＨリソース設定情報を、上記ユーザ装置に送信するステップを実現するコンピュータプログラムをさらに含む。
【００９３】
図１０において、バスアーキテクチャは、任意の数の相互接続されたバス及びブリッジを含んでもよく、具体的には、プロセッサ５０１に代表される１つ以上のプロセッサ及びメモリ５０３に代表されるメモリの様々な回路によって接続されている。バスアーキテクチャは、さらに、周辺装置、レギュレーター及び電力管理回路等の様々なその他の回路を接続することができ、これらはいずれも本分野において既知のものであるため、本明細書においてさらなる説明を省略する。バスインタフェースは、インタフェースを提供する。トランシーバ５０２は、複数の部品であってもよく、すなわち送信機及び受信機を含み、伝送媒体上で様々なその他の装置と通信するためのユニットを提供する。異なるユーザ装置に応じて、ユーザインタフェース５０４は、必要な装置を外接と内接することができるインタフェースであってもよく、接続された装置は、キーパッド、ディスプレイ、スピーカ、マイクロホン、ジョイスティックなどを含むが、それらに限定されない。
【００９４】
プロセッサ５０１は、バスアーキテクチャ及び一般的な処理の管理を担当し、メモリ５０３は、プロセッサ５０１が操作実行時に使用するデータを記憶してもよい。
【００９５】
さらに、前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む。
【００９６】
さらに、前記時間窓の窓長情報は、前記ＲＡＣＨリソース設定情報内に含まれているか、又は、前記ＲＡＣＨリソース設定情報に含まれる窓長情報とＲＡＣＨパラメータとの対応関係から得られるか、又は、予め約束されたものであり、
前記Ｎの値は、前記ＲＡＣＨリソース設定情報内に含まれているか、又は、前記ＲＡＣＨリソース設定情報に含まれるＮの値とＲＡＣＨパラメータとの対応関係から得られるか、又は、予め約束されたものである。
【００９７】
さらに、前記ＲＡＣＨパラメータは、
ＲＡＣＨを開始するサービス優先度、
接続確立の再構成をトリガする理由、
ＰＲＡＣＨ周期、及び
ＲＯと同期信号ブロックＳＳＢとの関連度、のうちの少なくとも１つを含む。
【００９８】
さらに、前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む。
【００９９】
さらに、前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【０１００】
さらに、前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【０１０１】
本開示の実施例は、メモリと、プロセッサと、メモリに記憶されプロセッサ上で実行でき、前記プロセッサにより実行されると、上述したようなＲＡＣＨリソース選択方法のステップを実現するコンピュータプログラムと、を含むユーザ装置をさらに提供する。
【０１０２】
図１１は、本開示の各実施例を実現するユーザ装置のハードウェア構造概略図である。図１１に示すとおり、該ユーザ装置６００は、無線周波数ユニット６０１、ネットワークモジュール６０２、オーディオ出力ユニット６０３、入力ユニット６０４、センサ６０５、表示ユニット６０６、ユーザ入力ユニット６０７、インタフェースユニット６０８、メモリ６０９、プロセッサ６１０及び電源６１１などの部品を含むが、これらに限定されない。当業者が理解できるように、図１１に示すユーザ装置の構造は、ユーザ装置を限定するものではなく、ユーザ装置は、図示より多い又は少ない部品を含んでもよく、又はある部品を組み合わせてもよく、又は部品を異なる方式で配置してもよい。本開示の実施例では、ユーザ装置は、携帯電話、タブレット、ノートパソコン、ハンドトップ、車載端末、ウェアラブルデバイス及び歩数計等を含むが、これらに限定されない。
【０１０３】
前記プロセッサ６１０は、ランダムアクセスプロセスがトリガされた後、取得したＲＡＣＨリソース設定情報に基づいて、プリアンブルのみ又はプリアンブル及びデータを送信するための物理ランダムアクセスチャネルＰＲＡＣＨ送信単位を選択する。
【０１０４】
ＲＡＣＨリソース設定情報は、予め約束されたものであってもよく、ネットワーク側装置からユーザ装置に送信されたものであってもよく、ＲＡＣＨリソース設定情報がネットワーク側装置からユーザ装置に送信されたものである場合に、前記プロセッサ６１０は、さらにネットワーク側装置から送信されたＲＡＣＨリソース設定情報を受信する。
【０１０５】
さらに、前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む。
【０１０６】
Ｎ個のＰＲＡＣＨ送信単位は、Ｎ個の連続するＰＲＡＣＨ送信単位であってもよい。
【０１０７】
さらに、前記時間窓の窓長情報は、前記ＲＡＣＨリソース設定情報内に含まれているか、又は、前記ＲＡＣＨリソース設定情報に含まれる窓長情報とＲＡＣＨパラメータとの対応関係から得られるか、又は、予め約束されたものであり、
前記Ｎの値は、前記ＲＡＣＨリソース設定情報内に含まれているか、又は、前記ＲＡＣＨリソース設定情報に含まれるＮの値とＲＡＣＨパラメータとの対応関係から得られるか、又は、予め約束されたものである。
【０１０８】
さらに、前記ＲＡＣＨパラメータは、
ＲＡＣＨを開始するサービス優先度、
接続確立の再構成をトリガする理由、
ＰＲＡＣＨ周期、及び
ＲＯと同期信号ブロックＳＳＢとの関連度、のうちの少なくとも１つを含む。
【０１０９】
さらに、前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む。
【０１１０】
さらに、前記プロセッサ６１０は、具体的には、
約束した確率に従って前記時間窓内でＰＲＡＣＨ送信単位を選択すること、
約束した確率に従って前記Ｎ個のＰＲＡＣＨ送信単位からＰＲＡＣＨ送信単位を選択すること、のうちの少なくとも１つを実行する。
【０１１１】
さらに、前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【０１１２】
さらに、前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む。
【０１１３】
本開示の実施例において、無線周波数ユニット６０１は、情報の送受信中又は通話中の信号の送受信に適用可能であり、具体的には、基地局からの下りデータを受信した後、プロセッサ６１０に処理させ、また、上りデータを基地局に送信することを理解されたい。一般的に、無線周波数ユニット６０１は、アンテナ、少なくとも１つの増幅器、送受信機、カプラ、低雑音増幅器、デュプレクサなどを含むがこれらに限定されない。また、無線周波数ユニット６０１は、さらに無線通信システムによりネットワーク及び他の装置と通信することができる。
【０１１４】
ユーザ装置は、ネットワークモジュール６０２によりユーザに無線のブロードバンドインターネットアクセスを提供し、例えば、ユーザの電子メールの送受信、ウェブの閲覧及びストリーミングメディアのアクセスなどを助ける。
【０１１５】
オーディオ出力ユニット６０３は、無線周波数ユニット６０１又はネットワークモジュール６０２によって受信されるか又はメモリ６０９に記憶されるオーディオデータを、オーディオ信号に変換して音声として出力することができる。そして、オーディオ出力ユニット６０３は、さらにユーザ装置６００によって実行される特定の機能に関連するオーディオ出力（例えば、コール着信音、メッセージ着信音など）を提供することができる。オーディオ出力ユニット６０３は、スピーカ、ブザー及びレシーバーなどを含む。
【０１１６】
入力ユニット６０４は、オーディオ又はビデオ信号を受信する。入力ユニット６０４は、グラフィック処理ユニット（Ｇｒａｐｈｉｃｓ  Ｐｒｏｃｅｓｓｉｎｇ  Ｕｎｉｔ、ＧＰＵ）６０４１及びマイクロホン６０４２を含んでよく、グラフィック処理ユニット６０４１は、ビデオ撮影モード又は画像撮影モードで画像撮影装置（例えば、カメラ）により取得された静止画像又はビデオの画像データを処理する。処理後の画像フレームは、表示ユニット６０６に表示することができる。グラフィック処理ユニット６０４１によって処理された画像フレームは、メモリ６０９（又は他の記憶媒体）に記憶してもよく、或いは無線周波数ユニット６０１又はネットワークモジュール６０２によって送信されてもよい。マイクロホン６０４２は、音声を受信し、かつこのような音声をオーディオデータに処理することができる。処理後のオーディオデータは、電話通話モードの場合に無線周波数ユニット６０１により移動通信基地局に送信できるフォーマットに変換して出力ことができる。
【０１１７】
ユーザ装置６００は、さらに、光センサ、動きセンサ及び他のセンサなどのような少なくとも１種のセンサ６０５を含む。具体的には、光センサは、周囲光の明るさに応じて表示パネル６０６１の輝度を調節することができる周囲光センサと、ユーザ装置６００が耳元に近接するときに、表示パネル６０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、ユーザ装置姿勢（例えば、縦向き／横向き画面の切替、関連ゲーム、磁力計の姿勢較正）の識別、振動の識別に関連する機能（例えば、歩数計、タッピング）などに用いることができる。センサ６０５は、さらに、指紋センサ、圧力センサ、虹彩センサ、分子センサ、ジャイロスコープ、気圧計、湿度計、温度計、赤外線センサなどを含んでもよく、ここでは説明を省略する。
【０１１８】
表示ユニット６０６は、ユーザにより入力された情報又はユーザに提供する情報を表示する。表示ユニット６０６は、表示パネル６０６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ  −  Ｅｍｉｔｔｉｎｇ  Ｄｉｏｄｅ、ＯＬＥＤ）などの形式で表示パネル６０６１を構成することができる。
【０１１９】
ユーザ入力ユニット６０７は、入力された数字又は文字情報を受信すると共に、ユーザ装置のユーザ設定及び機能制御に関連するキー信号入力を生成することができる。具体的には、ユーザ入力ユニット６０７は、タッチパネル６０７１及び他の入力装置６０７２を含む。タッチパネル６０７１は、タッチスクリーンとも呼ばれ、その上又はその近くでのユーザのタッチ操作（例えば、指、スタイラスペンなどの任意の適切な物体又は付属品を用いるタッチパネル６０７１上又はタッチパネル６０７１の近くでのユーザの操作）を収集することができる。タッチパネル６０７１は、タッチ検出装置及びタッチコントローラの２つの部分を含んでもよい。タッチ検出装置は、ユーザのタッチ方位を検出し、タッチ操作により発生した信号を検出し、信号をタッチコントローラに伝送し、タッチコントローラは、タッチ検出装置からタッチ情報を受信し、タッチポイント座標に変換して、プロセッサ６１０に送信し、プロセッサ６１０から送信されたコマンドを受信し、実行する。また、抵抗式、容量式、赤外線式及び表面弾性波式などの複数のタイプでタッチパネル６０７１を実現することができる。タッチパネル６０７１以外に、ユーザ入力ユニット６０７は、さらに、他の入力装置６０７２を含んでもよい。具体的には、他の入力装置６０７２は、物理キーボード、機能キー（例えば、ボリューム調節キー、スイッチキーなど）、トラックボール、マウス及び操作レバーを含み得るがこれらに限定されず、ここでは説明を省略する。
【０１２０】
さらに、タッチパネル６０７１は、表示パネル６０６１をカバーすることができ、タッチパネル６０７１がその上又はその近くでのタッチ操作を検出した後、プロセッサ６１０に伝送してタッチイベントのタイプを決定し、その後に、プロセッサ６１０は、タッチイベントのタイプに応じて対応する視覚的出力を表示パネル６０６１に提供する。図１１において、タッチパネル６０７１と表示パネル６０６１は、２つの独立した部品としてユーザ装置の入出力機能を実現するが、いくつかの実施例において、タッチパネル６０７１と表示パネル６０６１を一体化してユーザ装置の入出力機能を実現してもよく、ここでは具体的に限定しない。
【０１２１】
インタフェースユニット６０８は、外部装置とユーザ装置６００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでもよい。インタフェースユニット６０８は、外部装置からの入力（例えば、データ情報、電力等）を受信すると共に、受信した入力をユーザ装置６００内の１つ又は複数の素子に伝送するか又はユーザ装置６００と外部装置の間でデータを伝送することができる。
【０１２２】
メモリ６０９は、ソフトウェアプログラム及び様々なデータを記憶する。メモリ６０９は、主に、オペレーティングシステム、少なくとも１つの機能（例えば、音声再生機能、画像再生機能など）に必要なアプリケーションプログラムなどを記憶できるプログラム記憶領域と、携帯電話の使用に応じて作成されたデータ（例えば、オーディオデータ、電話帳など）などを記憶できるデータ記憶領域とを含んでもよい。また、メモリ６０９は、高速ランダムアクセスメモリを含んでもよく、さらに、少なくとも１つの磁気ディスクメモリ素子、フラッシュメモリ素子又は他の揮発性固体メモリ素子などの不揮発性メモリを含んでもよい。
【０１２３】
プロセッサ６１０は、ユーザ装置の制御センタであり、様々なインタフェースと回線によりユーザ装置全体の各部分に接続され、メモリ６０９に記憶されたソフトウェアプログラム及び／又はモジュールを動作させるか又は実行し、メモリ６０９に記憶されたデータを呼び出すことにより、ユーザ装置の様々な機能とデータ処理を実行して、ユーザ装置全体を監視する。プロセッサ６１０は、１つ以上の処理ユニットを含んでもよく、好ましくは、プロセッサ６１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ６１０に集積されなくてもよいことを理解されたい。
【０１２４】
ユーザ装置６００は、さらに、各部品に給電する電源６１１（例えば、電池）を含んでもよく、好ましくは、電源６１１は、電源管理システムによりプロセッサ６１０と論理的に接続されて、電源管理システムにより充電、放電及び消費電力の管理などの機能を実現することができる。
【０１２５】
また、ユーザ装置６００は、いくつかの未図示の機能モジュールを含み、ここでは説明を省略する。
【０１２６】
本開示の実施例は、プロセッサにより実行されると、上述したようなＲＡＣＨリソース選択方法のステップ又は上述したようなＲＡＣＨリソース設定方法のステップを実現するコンピュータプログラムが記憶されているコンピュータ読み取り可能な記憶媒体をさらに提供する。
【０１２７】
本明細書に記載されるこれらの実施例は、ハードウェア、ソフトウェア、ファームウェア、ミドルウェア、マイクロコード、又はその組合せによって実現できることを理解されたい。ハードウェアで実現する場合、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタルシグナルプロセッサ（Ｄｉｇｉｔａｌ  Ｓｉｇｎａｌ  Ｐｒｏｃｅｓｓｏｒ、ＤＳＰ）、デジタル信号処理デバイス（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本願に記載の機能を実行するための他の電子ユニット又はそれらの組み合わせにおいて実現することができる。
【０１２８】
ソフトウェアで実現する場合、本明細書に記載の機能を実行するモジュール（例えば、プロセス、関数など）により、本明細書に記載の技術を実現することができる。ソフトウェアコードは、メモリに記憶され、かつプロセッサによって実行されてもよい。メモリは、プロセッサ内又はプロセッサの外部で実現されてもよい。
【０１２９】
本明細書における各実施例は、いずれも漸進的な方式で説明され、各実施例は、いずれも他の実施例との相違点について重点に説明し、各実施例の間の同じ又は類似の部分について互いに参照すればよい。
【０１３０】
当業者であれば、本開示の実施例は、方法、装置又はコンピュータプログラム製品として提供できることを理解すべきである。したがって、本開示の実施例は、完全なハードウェアの実施例、完全なソフトウェアの実施例、又はソフトウェアとハードウェアを組み合わせた実施例の形態にすることができる。さらに、本開示の実施例は、コンピュータ上で使用可能な、コンピュータプログラムコードを含む１つ以上の記憶媒体（ディスク媒体、ＣＤ−ＲＯＭ、光学媒体等を含むが、それらに限定されない）に実施されるコンピュータプログラム製品の形態にすることができる。
【０１３１】
本開示の実施例は、本開示の実施例に係る方法、ユーザ装置（システム）及びコンピュータプログラム製品のフローチャート及び／又はブロック図を参照して記載された。コンピュータプログラム命令により、フローチャート及び／又はブロック図における各フロー及び／又はブロック、及びフローチャート及び／又はブロック図におけるフロー及び／又はブロックの組み合わせを実現できることを理解すべきである。このようなコンピュータプログラム命令を、マシンを生成するために汎用コンピュータ、専用コンピュータ、埋め込み処理ユニット又は他のプログラマブルデータ処理ユーザ装置のプロセッサへ提供することにより、コンピュータ又は他のプログラマブルデータ処理ユーザ装置のプロセッサによって実行される命令は、フローチャートにおける１つ以上のフロー及び／又はブロック図における１つ以上のブロック内に規定される機能を実現する装置を生成することができる。
【０１３２】
これらのコンピュータプログラム命令をまた、コンピュータ又は他のプログラマブルデータ処理ユーザ装置を特定の方式で機能するように誘導することができるコンピュータ読み取り可能なメモリに記憶できることにより、該コンピュータ読み取り可能なメモリ内に記憶される命令は、フローチャートにおける１つ以上のフロー及び／又はブロック図における１つ以上のブロック内に規定される機能を実現する命令装置を含む製品を生成することができる。
【０１３３】
これらのコンピュータプログラム命令をまた、コンピュータ又は他のプログラマブルデータ処理ユーザ装置にロードできることにより、コンピュータ又は他のプログラマブルユーザ装置に、コンピュータにより実現される処理を生成するために一連の操作ステップを実行して、コンピュータ又は他のプログラマブルユーザ装置で実行される命令は、フローチャートにおける１つ以上のフロー及び／又はブロック図における１つ以上のブロックに規定される機能を実現するステップを提供する。
【０１３４】
本開示の実施例における好ましい実施例を説明したが、当業者は、一旦基本的な創造性概念を知ると、これらの実施例に対して別の変更及び修正を行うことができる。したがって、添付の特許請求の範囲は、好ましい実施例と本開示の実施例の範囲内に含まれる全ての変更及び修正を含むものと解釈されることを意図する。
【０１３５】
説明すべきこととして、本明細書において、例えば、「第１」、「第２」などの関係用語は、１つの実体又は操作を別の実体又は操作と区別するためのものにすぎず、必ずしもこれらの実体又は操作の間にいかなるこのような実際の関係または順序が存在することを要求又は示唆するものではない。また、用語「含む」、「備える」又はそれらの任意の他の変形は、非排他的包含を含むことを意図し、それにより一連の要素を含むプロセス、方法、物品又はユーザ装置は、それらの要素だけでなく、明確に列挙されていない他の要素、又はこのようなプロセス、方法、物品又はユーザ装置に固有の要素も含む。更なる限定がない場合、語句「１つの……含む」で限定された要素について、前記要素を含むプロセス、方法、物品又はユーザ装置にさらに別の同じ要素が存在することは排除されない。
【０１３６】
以上の説明は、本開示の好ましい実施形態であり、なお、当業者であれば、本開示の上記原理から逸脱しない前提でいくつかの改良と修飾を行ってもよく、これらの改良と修飾も本開示の保護範囲に含まれる。
【図１】
2021521738.tif 000003
【図２】
2021521738.tif 000004
【図３】
2021521738.tif 000005
【図４】
2021521738.tif 000006
【図５】
2021521738.tif 000007
【図６】
2021521738.tif 000008
【図７】
2021521738.tif 000009
【図８】
2021521738.tif 000010
【図９】
2021521738.tif 000011
【図１０】
2021521738.tif 000012
【図１１】
2021521738.tif 000013
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
ユーザ装置に適用されるランダムアクセスチャネルＲＡＣＨリソース選択方法であって、
ランダムアクセスプロセスがトリガされた後、取得したＲＡＣＨリソース設定情報に基づいて、プリアンブルのみ又はプリアンブル及びデータを送信するための物理ランダムアクセスチャネルＰＲＡＣＨ送信単位を選択することを含む、ランダムアクセスチャネルＲＡＣＨリソース選択方法。
【請求項２】
ネットワーク側装置から送信されたＲＡＣＨリソース設定情報を受信することをさらに含む、請求項１に記載のＲＡＣＨリソース選択方法。
【請求項３】
前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む、請求項１に記載のＲＡＣＨリソース選択方法。
【請求項４】
前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む、請求項３に記載のＲＡＣＨリソース選択方法。
【請求項５】
前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項１〜４のいずれか１項に記載のＲＡＣＨリソース選択方法。
【請求項６】
前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項３又は４に記載のＲＡＣＨリソース選択方法。
【請求項７】
ネットワーク側装置に適用されるランダムアクセスチャネルＲＡＣＨリソース設定方法であって、
ユーザ装置がランダムアクセスプロセスをトリガした後にプリアンブルプリアンブルのみ又はプリアンブル及びデータを送信するための物理ランダムアクセスチャネルＰＲＡＣＨ送信単位を選択するためのＲＡＣＨリソース設定情報を、前記ユーザ装置に送信することを含む、ランダムアクセスチャネルＲＡＣＨリソース設定方法。
【請求項８】
前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む、請求項７に記載のＲＡＣＨリソース設定方法。
【請求項９】
前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む、請求項８に記載のＲＡＣＨリソース設定方法。
【請求項１０】
前記ＰＲＡＣＨ送信単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項７〜９のいずれか１項に記載のＲＡＣＨリソース設定方法。
【請求項１１】
前記時間窓の窓長単位は、
ＯＦＤＭシンボル、ＰＲＡＣＨサブフレーム、タイムスロット、ＰＲＡＣＨタイムスロット、物理ランダムアクセスチャネル機会ＲＯ、ＲＯ関連セット、ＲＯ組み合わせセット、絶対時間単位のうちの少なくとも１つを含む、請求項８又は９に記載のＲＡＣＨリソース設定方法。
【請求項１２】
ランダムアクセスプロセスがトリガされた後、取得したＲＡＣＨリソース設定情報に基づいて、プリアンブルのみ又はプリアンブル及びデータを送信するための物理ランダムアクセスチャネルＰＲＡＣＨ送信単位を選択するための処理モジュールを含む、ユーザ装置。
【請求項１３】
ネットワーク側装置から送信されたＲＡＣＨリソース設定情報を受信するための受信モジュールをさらに含み、
前記ＲＡＣＨリソース設定情報は、
選択可能なＰＲＡＣＨリソースのプリアンブルフォーマット情報、
選択可能なＰＲＡＣＨリソースの時間領域位置情報、
選択可能なＰＲＡＣＨリソースの周波数領域位置情報、
その内部の１番目のＰＲＡＣＨ送信単位がランダムアクセスプロセスをトリガした後の１番目の有効なＰＲＡＣＨ送信単位である、選択可能なＰＲＡＣＨ送信単位に対応する時間窓、
そのうちの１番目のＰＲＡＣＨ送信単位がランダムアクセスプロセスをトリガした後の１番目の有効なＰＲＡＣＨ送信単位である、選択可能なＮ（正の整数）個のＰＲＡＣＨ送信単位、及び
ＲＡＣＨトリガ時刻と、少なくとも１つのＰＲＡＣＨ送信単位を含むＰＲＡＣＨ送信セットとの対応関係、のうちの少なくとも１つを含む、請求項１２に記載のユーザ装置。
【請求項１４】
前記ＲＡＣＨリソース設定情報は、
前記時間窓内でＰＲＡＣＨ送信単位を選択する確率と、
前記Ｎ個のＰＲＡＣＨ送信単位からＰＲＡＣＨ送信単位を選択する確率と、のうちの少なくとも１つをさらに含む、請求項１３に記載のユーザ装置。
【請求項１５】
ユーザ装置がランダムアクセスプロセスをトリガした後にプリアンブルプリアンブルのみ又はプリアンブル及びデータを送信するための物理ランダムアクセスチャネルＰＲＡＣＨ送信単位を選択するためのランダムアクセスチャネルＲＡＣＨリソース設定情報を、前記ユーザ装置に送信するための送信モジュールを含む、ネットワーク側装置。
【国際調査報告】
2021521738.tif 000014
2021521738.tif 000015
2021521738.tif 000016
2021521738.tif 000017
2021521738.tif 000018
2021521738.tif 000019